(57)【特許請求の範囲】
【請求項１】
高層建造物に設けられた空気取入口の前面を覆って雨水の浸入を防止するとともに下向きの開口を有し、この下向きの開口から前記空気取入口に向けて外気を取り入れる非導電性カバーと、
前記非導電性カバーの内側に設けられ、フェライトと該フェライトの背後の反射体とからなるフェライト電波吸収体と、
を備えたことを特徴とする、高層建造物における空気取入口の電波反射防止構造。
【請求項２】
高層建造物に設けられた空気取入口の前面を覆って雨水の浸入を防止するとともに下向きの開口を有し、この下向きの開口から前記空気取入口に向けて外気を取り入れる非導電性カバーと、
前記非導電性カバーの内側に設けられ、自由空間インピーダンスに近い面抵抗を有する薄い平面状抵抗体と該平面状抵抗体に対して電波の略１／４波長だけ背後に位置する反射体とからなる１／４波長型電波吸収体と、
を備えたことを特徴とする、高層建造物における空気取入口の電波反射防止構造。
【請求項３】
前記非導電性カバー背後に配置された前記空気取入口の防虫金網で前記反射体が構成されている請求項１又は２記載の高層建造物における空気取入口の電波反射防止構造。
【請求項４】
高層建造物に設けられた空気取入口の前面を覆って雨水の浸入を防止する非導電性カバーであって下側から前記空気取入口に向けて外気が通過できるようにしたものと、
前記非導電性カバーの内側に設けられ、フェライトと該フェライトの背後の反射体とからなるフェライト電波吸収体と、
を備えたことを特徴とする、高層建造物における空気取入口の電波反射防止構造。
【請求項５】
高層建造物に設けられた空気取入口の前面を覆って雨水の浸入を防止する非導電性カバーであって下側から前記空気取入口に向けて外気が通過できるようにしたものと、
前記非導電性カバーの内側に設けられ、自由空間インピーダンスに近い面抵抗を有する薄い平面状抵抗体と該平面状抵抗体に対して電波の略１／４波長だけ背後に位置する反射体とからなる１／４波長型電波吸収体と、
を備えたことを特徴とする、高層建造物における空気取入口の電波反射防止構造。
【請求項６】
前記非導電性カバー内に設けられたクローズド・セル構造発泡高分子材で前記平面状抵抗体が支持されている請求項２又は５記載の高層建造物における空気取入口の電波反射防止構造。
【請求項７】
前記非導電性カバーが耐候性、耐熱性を有する強固な絶縁性繊維補強高分子材又は絶縁性繊維補強コンクリートで構成されている請求項１から６のいずれかに記載の高層建造物における空気取入口の電波反射防止構造。
【発明の詳細な説明】
【０００１】
【発明の属する技術分野】
本発明は、高層建造物のテレビゴースト障害等の電波反射障害防止対策のために、高層建造物に設けられている空気取入口について電波反射障害防止対策を講じた高層建造物における空気取入口の電波反射防止構造に関するものである。
【０００２】
【従来の技術】
高層建造物のテレビ電波反射対策としては、もっぱら最も面積の多い外壁材を対象にフェライトを用いたコンクリート一体型ＰＣ電波吸収壁が用いられ、それ以外の窓枠サッシ、ゴンドラレール、さらには各階に取り付けられる空気取入口等は技術的に適当な方法が見当たらず、電波的に課題を残したまま何ら対策が講じられておらないのが現状である。しかし、建造物の電波障害の問題が無視されなくなった今日、これら高層建造物の各種電波反射要因となる構造部材も無視できなくなってきている。
【０００３】
この点に鑑み、本出願人より特願平８−２８９００２号において、窓枠サッシの反射障害を軽減する構造が図１１の如く提案されている。この構造は、電波吸収壁のフェライトの電波収束効果に着目し、アルミサッシ等の反射部材を、反射障害を起こす電波の到来方向よりみてフェライトより後側になるように配置したものである。図１１において、高層建造物の外壁をなす電波吸収壁１は、フェライトタイル（フェライト板）２の落下防止を兼ねた外装タイル等の外装材３をフェライトタイル２の前面に被せ、フェライトタイル２の背後に金属製反射メッシュ（電波反射体）をなす鉄筋４を配置し、フェライトタイル２背面側にコンクリート５を打設してそれらを一体化してなるプレキャスト構造の電波吸収パネルであり、電波透過面となる窓ガラス６が取り付けられた窓枠がアルミサッシ７で構成されている。そして、アルミサッシ７の到来電波の電界方向に平行なアルミサッシ水平部７Ａは電波反射体として働くが、少なくともこのアルミサッシ水平部７Ａを電波吸収壁１のフェライトタイル２背面より多少後方に位置するように高層建造物の構造躯体に電波吸収壁１と共に取り付けている。
【０００４】
ところで、最近の省エネルギーの観点より高層建造物の各階の空調の為に、空気取入口が各階に取り付けられるようになってきている。上記したように、窓枠サッシの場合には、電波吸収壁のフェライトより後側の取付位置となるように設置する方法により電波反射障害対策を行うことができるが、外壁材より飛び出している、あるいは外壁面と同一面に各階毎に取り付けられる空気取入口の各種構造物の反射体は、機能、デザイン等の面よりもかなり制約があり、その対応が大きな課題となっている。
【０００５】
図１２は従来広く用いられている空気取入口構造の１例を示し、図１３は建物全体における空気取入口の配置を示す。これらの図において、１０は高層建造物の外壁であり、空気取入口付きのアルミサッシ１１が外壁の各階に配置固定されている。アルミサッシ１１の窓枠を構成するサッシ上枠１１Ａとサッシ中枠１１Ｂとの間に窓ガラス１２が取り付けられ、サッシ中枠１１Ｂとサッシ下枠１１Ｃとの間が空気取入口２０となっている。空気取入口２０には全面に防虫金網２１が張られており、空気取入口２０の前側を覆うように、雨水の浸入を防止するためのアルミ等の金属ガラリ２２がサッシ中枠１１Ｂとサッシ下枠１１Ｃ間に取り付けられている。金属ガラリ２２は空気取り入れのための下向きの開口２３を多数有している。なお、サッシ下枠１１Ｃの外側と外壁１０間に水切り２５が固着されている。
【０００６】
【発明が解決しようとする課題】
図１２より明らかなように、一般に高層建造物における空気取入口２０のカバーは雨対策及び空気の取り入れを容易にするため、アルミ等の金属のガラリ構造で構成されている。従って、これらカバーとしての金属ガラリ２２が図１３に示す如く各階の空気取入口２０に装着されてテレビ電波の電界方向に並び、大きなテレビ電波反射体として動作する。
【０００７】
例え、空気取入口のカバーを電波反射体でない絶縁物で構成しても、その背後に取り付けられている防虫金網２１が同様反射体として動作する。さらに、この防虫金網２１を例え反射体以外で構成したとしても、その背面の躯体が同様反射体として作用する問題が残る。このことは、空気取入口の本質的な問題であり、空気取入口自体を電波反射のないものにすることが根本的課題である。
【０００８】
本発明は、上記の点に鑑み、従来の空気取入口のガラリ構造を見直し、空気取入口のカバーの内側に抵抗体を用いた１／４波長型電波吸収体又はフェライトを用いたフェライト電波吸収体を構成して、電波吸収特性を持たせるようにして電波反射障害の防止を図った高層建造物における空気取入口の電波反射防止構造を提供することを目的とする。
【０００９】
本発明のその他の目的や新規な特徴は後述の実施の形態において明らかにする。
【００１０】
【課題を解決するための手段】
上記目的を達成するために、本発明に係る第１の高層建造物における空気取入口の電波反射防止構造は、
高層建造物に設けられた空気取入口の前面を覆って雨水の浸入を防止するとともに下向きの開口を有し、この下向きの開口から前記空気取入口に向けて外気を取り入れる非導電性カバーと、
前記非導電性カバーの内側に設けられ、フェライトと該フェライトの背後の反射体とからなるフェライト電波吸収体と、
を備えた構成としている。
【００１１】
本発明に係る第２の高層建造物における空気取入口の電波反射防止構造は、
高層建造物に設けられた空気取入口の前面を覆って雨水の浸入を防止するとともに下向きの開口を有し、この下向きの開口から前記空気取入口に向けて外気を取り入れる非導電性カバーと、
前記非導電性カバーの内側に設けられ、自由空間インピーダンスに近い面抵抗を有する薄い平面状抵抗体と該平面状抵抗体に対して電波の略１／４波長だけ背後に位置する反射体とからなる１／４波長型電波吸収体と、
を備えた構成としている。
【００１２】
上記第１又は第２の高層建造物における空気取入口の電波反射防止構造において、前記非導電性カバー背後に配置された前記空気取入口の防虫金網で前記反射体が構成されていてもよい。
本発明に係る第３の高層建造物における空気取入口の電波反射防止構造は、
高層建造物に設けられた空気取入口の前面を覆って雨水の浸入を防止する非導電性カバーであって下側から前記空気取入口に向けて外気が通過できるようにしたものと、
前記非導電性カバーの内側に設けられ、フェライトと該フェライトの背後の反射体とからなるフェライト電波吸収体と、
を備えた構成としている。
本発明に係る第４の高層建造物における空気取入口の電波反射防止構造は、
高層建造物に設けられた空気取入口の前面を覆って雨水の浸入を防止する非導電性カバーであって下側から前記空気取入口に向けて外気が通過できるようにしたものと、
前記非導電性カバーの内側に設けられ、自由空間インピーダンスに近い面抵抗を有する薄い平面状抵抗体と該平面状抵抗体に対して電波の略１／４波長だけ背後に位置する反射体とからなる１／４波長型電波吸収体と、
を備えた構成としている。
【００１３】
上記第２又は第４の高層建造物における空気取入口の電波反射防止構造において、前記非導電性カバー内に設けられたクローズド・セル構造発泡高分子材で前記平面状抵抗体を支持する構成としてもよい。
【００１４】
上記第１から第４の高層建造物における空気取入口の電波反射防止構造において、前記非導電性カバーが耐候性、耐熱性を有する強固な絶縁性繊維補強高分子材又は絶縁性繊維補強コンクリートで構成されていることが望ましい。
【００１５】
【発明の実施の形態】
以下、本発明に係る高層建造物における空気取入口の電波反射防止構造の実施の形態を図面に従って説明する。
【００１６】
図１は本発明に係る高層建造物における空気取入口の電波反射防止構造の第１の実施の形態であって、高層建造物における空気取入口に予め設けられた防虫金網を１／４波長型電波吸収体の反射体として利用した基本構造を示す。この図において、高層建造物の外壁３０は、内部構造を省略したが例えば図１１のフェライト電波吸収体を構成した電波吸収壁１と同様の構造を持つものである。このような電波吸収壁として機能する外壁３０には、空気取入口付きのアルミサッシ１１が各階部分に配置固定されている。アルミサッシ１１の窓枠を構成するサッシ上枠１１Ａとサッシ中枠１１Ｂとの間に窓ガラス１２が取り付けられ、サッシ中枠１１Ｂとサッシ下枠１１Ｃとの間が空気取入口２０となっている。空気取入口２０には全面に防虫金網２１が張られており、空気取入口２０の前側を覆うように、雨水の浸入を防止するための非導電性の空気取入口カバー３１がサッシ中枠１１Ｂとサッシ下枠１１Ｃ間に取り付けられている。すなわち、空気取入口カバー３１の上側取付部３１ａがサッシ中枠１１Ｂに、下側取付部３１ｂがサッシ下枠１１Ｃにそれぞれ固定されている。なお、サッシ下枠１１Ｃの外側と外壁３０間に水切り２５が固着されている。
【００１７】
前記非導電性の空気取入口カバー３１は、電波の反射のない構造部材として、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。この空気取入口カバー３１は前面が平坦面で上下が傾斜面となった略台形断面を有するものであり、水切りを良くするため下側傾斜面に空気取り入れのための下向きの開口３２が形成されている。
【００１８】
前記非導電性の空気取入口カバー３１の内側には発泡スチロール、発泡ポリエチレン等の軽量クローズド・セル構造発泡高分子材３３が設けられており、該発泡高分子材３３で薄い平面状抵抗体３４が鉛直に支持固定されている。薄い平面状抵抗体３４は、例えば、自由空間インピーダンスのほぼ３７７オームに近い面抵抗を有する導電繊維ネット、導電繊維布、導電薄膜等である。
【００１９】
前記平面状抵抗体３４の背後には前記開口３２と連通した空気取り入れ経路となる空気層３５が空気取入口カバー３１の内側に形成されており、該空気層３５を介して平面状抵抗体３４に電波の反射体として機能する防虫金網２１が対向している。つまり、平面状抵抗体３４と防虫金網２１（反射体）との位置関係が、反射障害を起こす電波の到来方向からみて平面状抵抗体３４の背後に実効的に（平面状抵抗体３４の背面側の発泡高分子材の誘電率にも配慮して）電波の略１／４波長だけ離れて防虫金網２１が配置されており、これらにより１／４波長型電波吸収体が空気取入口カバー３１の内側に構成される。
【００２０】
なお、外気は、空気取入口カバー３１の下部の開口３２、空気取り入れ経路としての空気層３５、防虫金網２１の隙間を経て高層建造物の空気取入口２０内側に取り入れられる。
【００２１】
この第１の実施の形態によれば、次の通りの効果を得ることができる。
【００２２】
(1)  非導電性の空気取入口カバー３１内に、クローズド・セル構造発泡高分子材３３で自由空間インピーダンスのほぼ３７７オームに近い面抵抗を有する平面状抵抗体３４を支持し、この平面状抵抗体３４と電波反射体を兼ねた防虫金網２１とで１／４波長型電波吸収体を構成しており、電波は一旦平面状抵抗体３４を通過した後、防虫金網２１で反射されて定在波を生じ、定在波の電界の最大点に置かれた平面状抵抗体３４でオーム損失として吸収される。従って、従来何等配慮されていなかった高層建造物における空気取入口２０の各種構造物に起因する電波反射を防止することができる。
【００２３】
(2)  平面状抵抗体３４は導電繊維ネット、導電繊維布、導電薄膜等であって薄くて軽量であり、これを支持する発泡高分子材３３も軽量である。従って、高層建造物の外壁１０やアルミサッシ１１に負担がかからない利点がある。
【００２４】
(3)  高層建造物における空気取入口２０に予め装着されている防虫金網２１を電波反射体としてそのまま利用するため、構造が簡単である。
【００２５】
図２は本発明の第２の実施の形態であって、高層建造物における空気取入口に予め設けられた防虫金網を１／４波長型電波吸収体の反射体として利用した具体的な構造を示す。この場合、非導電性の空気取入口カバー４１は、上下面が幅の狭い平坦面で両者間は十分な強度を確保するのに好適な略半割円筒形状（断面略半円形状）となっており、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。水切りを良くするように、空気取入口カバー４１の平坦な下面部分に空気取り入れのための下向きの開口４２が形成されている。
【００２６】
本実施の形態では、抵抗体として導電繊維を用い、図３に示す如く面抵抗が自由空間インピーダンスのほぼ３７７オームになるよう短冊状繊維布３６を所定間隔で支持部材３７により支持、一体化して平面状抵抗体３４Ａを構成している。この場合、短冊状繊維布３６自体の面抵抗が３７７オームからずれていても、短冊状繊維布３６間の間隙を調整することで全体としての実効的な面抵抗を変化させることができ、自由空間インピーダンスにほぼ一致した面抵抗を持つ平面状抵抗体を容易に実現できる。なお、電波吸収効果を考慮すると、電波の電界方向に短冊状繊維布３６が連続していることが望ましい。
【００２７】
図３の如き短冊状繊維布３６を多数配列した平面状抵抗体３４Ａは、その前後に配設された発泡スチロール、発泡ポリエチレン等の軽量クローズド・セル構造発泡高分子材４３でサンドイッチ状に保持（挟持）されて空気取入口カバー４１内に収納固定されている。
【００２８】
なお、その他の構成は前述の第１の実施の形態と同様である。
【００２９】
この第２の実施の形態によれば、図３のように短冊状繊維布３６を多数配列した平面状抵抗体３４Ａを用いており、短冊状繊維布３６の配列間隔を変えることで容易に自由空間インピーダンスのほぼ３７７オームに近い面抵抗を実現することができる。また、空気取入口カバー４１の断面形状を工夫したことで、機械的な強度の向上を図ることができる。なお、その他の作用効果は前述した第１の実施の形態と同様である。
【００３０】
図４及び図５は本発明の第３の実施の形態であって、高層建造物における空気取入口に予め設けられた防虫金網をフェライト電波吸収体の反射体として利用した基本構造を示す。これらの図において、非導電性の空気取入口カバー５１は、電波の反射のない構造部材として、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。この空気取入口カバー５１は前面が平坦面で上下面がこれと垂直な平面となった略方形断面を有するものであり、水切りを良くするため下面に空気取り入れのための下向きの開口５２が形成されている。
【００３１】
空気取入口カバー５１の内側には、図５に示すように、反射障害を起こす電波の磁界方向に連続させて複数のフェライトタイル（フェライト板）５３が連続配置されており、電界方向には空気通路５４を構成するために隙間が設けられている。つまり、フェライトタイル５３は空気通路５４を持つようにすのこ形に配列されている。そして、電波反射体を兼ねるように防虫金網２１はフェライトタイル５３の背後に比較的近接して位置している。これらにより、フェライトタイルの背面側に電波反射体を設けたフェライト電波吸収体が構成される。
【００３２】
この場合、外気は、空気取入口カバー５１の下部の開口５２、フェライトタイル５３間の電界方向の間隙である空気通路５４、防虫金網２１の隙間を経て高層建造物の空気取入口２０内側に取り入れられる。
【００３３】
なお、その他の構成は前述の第１の実施の形態と同様である。
【００３４】
この第３の実施の形態によれば、非導電性の空気取入口カバー５１の内側に設けられたフェライトタイル５３と電波反射体として機能する防虫金網２１とでフェライト電波吸収体を構成でき、高層建造物における空気取入口２０の各種構造物に起因する電波反射を防止することができる。また、高層建造物における空気取入口２０に予め装着されている防虫金網２１を電波反射体としてそのまま利用するため、構造が簡単である。
【００３５】
図６は本発明の第４の実施の形態であって、高層建造物における空気取入口に予め設けられた防虫金網をフェライト電波吸収体の反射体として利用した具体的構造を示す。この場合、非導電性の空気取入口カバー６１は、上下面が幅の狭い平坦面で両者間は十分な強度を確保するのに好適な略半割円筒形状（断面略半円形状）となっており、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。水切りを良くするように、空気取入口カバー６１の平坦な下面部分に空気取り入れのための下向きの開口６２が形成されている。
【００３６】
そして、空気取入口カバー６１の内側に反射障害を起こす電波の磁界方向に連続させて複数のフェライトタイル５３が連続配置されている。但し、図５に示した場合と同様にフェライトタイル５３は電界方向に空気通路となる間隔をあけたすのこ形配置となっている。
【００３７】
この第４の実施の形態によれば、空気取入口カバー６１の断面形状を工夫したことで、機械的な強度の向上を図ることができる。その他の構成及び作用効果は前述した第３の実施の形態と同様である。
【００３８】
図７は本発明の第５の実施の形態であって、高層建造物における空気取入口に予め設けられた防虫金網とは別に１／４波長型電波吸収体の反射体を空気取入口カバー側に設けた基本構造を示す。この場合、空気取入口カバー本来の目的である雨対策と空気取り入れ機能のうち、空気取り入れ機能はカバー自体から切り離し、空気取入口カバーの下部とサッシ下枠との間に適切な隙間を設けることで空気取り入れを行えるようにしている。
【００３９】
図７において、非導電性の空気取入口カバー７１は、電波の反射のない構造部材として、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。この空気取入口カバー７１は前面が平坦面で上面が傾斜面となった略台形断面を有するものである。
【００４０】
前記非導電性の空気取入口カバー７１の内側には発泡スチロール、発泡ポリエチレン等の軽量クローズド・セル構造発泡高分子材７３が設けられており、これで薄い平面状抵抗体３４が鉛直に支持固定されている。すなわち、平面状抵抗体３４の前後に配設された発泡高分子材７３で平面状抵抗体３４がサンドイッチ状に保持（挟持）されて空気取入口カバー７１内に収納固定されている。前記薄い平面状抵抗体３４は、例えば、自由空間インピーダンスのほぼ３７７オームに近い面抵抗を有する導電繊維ネット、導電繊維布、導電薄膜等である。さらに、発泡高分子材７３の背面側に電波反射体となる金属板７４が固定（例えばカバー７１に固定）されており、平面状抵抗体３４と金属板７４との位置関係を、反射障害を起こす電波の到来方向からみて平面状抵抗体３４の背後に実効的に電波の略１／４波長だけ離れて金属板７４が配置されるように設定し、１／４波長型電波吸収体を空気取入口カバー７１の内側に構成している。
【００４１】
前記非導電性の空気取入口カバー７１の上側取付部７１ａはサッシ中枠１１Ｂに取付固定され、空気取入口カバー７１の下側取付部７１ｂは空気取り入れのための開口７２ができるように所定間隔だけあけてカバー取付金具（カバー取付アンカー）７５を介してサッシ下枠１１Ｃに取付固定される。このカバー取付金具７５は金属板７４に一体に形成しておいてもよい。
【００４２】
なお、外気は、空気取入口カバー７１とサッシ下枠１１Ｃ間の隙間である開口７２、空気取入口カバー７１の裏側の空気取り入れ経路７６、防虫金網２１の隙間を経て高層建造物の空気取入口２０内側に取り入れられる。
【００４３】
この第５の実施の形態によれば、高層建造物における空気取入口２０に設置された防虫金網２１が電波反射体として利用できない場合であっても、非導電性の空気取入口カバー７１側に電波反射体となる金属板７４を設けているから空気取入口２０の各種構造物に起因する電波反射を空気取入口カバー７１側の１／４波長型電波吸収体で防止することができ、適用可能な建造物の範囲が広い。なお、その他の構成及び作用効果は前述した第１の実施の形態と同様である。
【００４４】
図８は本発明の第６の実施の形態であって、高層建造物における空気取入口に予め設けられた防虫金網とは別に１／４波長型電波吸収体の反射体を空気取入口カバー側に設けた具体構造を示す。
【００４５】
この場合、非導電性の空気取入口カバー８１は、十分な強度を確保するのに好適な略半割円筒形状（断面略半円形状）となっており、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。
【００４６】
本実施の形態では、抵抗体として導電繊維を用い、図３に示す如く面抵抗が自由空間インピーダンスのほぼ３７７オームになるよう短冊状繊維布３６を所定間隔で一体化して平面状抵抗体３４Ａを構成している。そして、図３の如き短冊状繊維布３６を多数配列した平面状抵抗体３４Ａを、その前後に配設された発泡スチロール、発泡ポリエチレン等の軽量クローズド・セル構造発泡高分子材８３でサンドイッチ状に保持（挟持）して空気取入口カバー８１内に収納固定している。
【００４７】
この第６の実施の形態によれば、図３のように短冊状繊維布３６を多数配列した平面状抵抗体３４Ａを用いており、短冊状繊維布３６の配列間隔を変えることで容易に自由空間インピーダンスのほぼ３７７オームに近い面抵抗を実現することができる。また、空気取入口カバー８１の断面形状を工夫したことで、機械的な強度の向上を図ることができる。なお、カバー８１下端とサッシ下枠１１Ｃ間に開口８２が設けられる等、その他の構成及び作用効果は前述した第５の実施の形態と同様である。
【００４８】
図９は本発明の第７の実施の形態であって、高層建造物における空気取入口に予め設けられた防虫金網とは別にフェライト電波吸収体の反射体を空気取入口カバー側に設けた基本構造を示す。この図において、非導電性の空気取入口カバー９１は、電波の反射のない構造部材として、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。この空気取入口カバー９１は前面が平坦面で上下面がこれと略垂直な平面又は緩斜面となった略方形断面を有するものである。
【００４９】
空気取入口カバー９１の内側には、反射障害を起こす電波の磁界方向に連続させて複数のフェライトタイル５３が連続配置されており、電界方向には連続もしくは不連続に配置されている。そして、電波反射体としての金属板９４がフェライトタイル５３の背後に密着乃至近接配置されている。これらのフェライトタイル５３及びその背面側の金属板９４とで空気取入口カバー９１の内側にフェライト電波吸収体が構成される。
【００５０】
前記非導電性の空気取入口カバー９１の上側取付部９１ａはサッシ中枠１１Ｂに取付固定され、空気取入口カバー９１の下側取付部９１ｂは空気取り入れのための開口９２ができるように所定間隔だけあけてカバー取付金具（カバー取付アンカー）９５を介してサッシ下枠１１Ｃに取付固定される。このカバー取付金具９５は金属板９４に一体に形成しておいてもよい。
【００５１】
なお、外気は、空気取入口カバー９１とサッシ下枠１１Ｃ間の隙間である開口９２、空気取入口カバー９１の裏側の空気取り入れ経路９６、防虫金網２１の隙間を経て高層建造物の空気取入口２０内側に取り入れられる。
【００５２】
この第７の実施の形態によれば、高層建造物における空気取入口２０に設置された防虫金網２１が電波反射体として利用できない場合であっても、非導電性の空気取入口カバー９１側に電波反射体となる金属板９４を設けているから空気取入口２０の各種構造物に起因する電波反射を空気取入口カバー９１側のフェライト電波吸収体で防止することができ、適用可能な建造物の範囲が広い。なお、その他の構成及び作用効果は前述した第３の実施の形態と同様である。
【００５３】
図１０は本発明の第８の実施の形態であって、高層建造物における空気取入口に予め設けられた防虫金網とは別にフェライト電波吸収体の反射体を空気取入口カバー側に設けた具体構造を示す。この場合、非導電性の空気取入口カバー１０１は、上下面が幅の狭い平坦面で両者間は十分な強度を確保するのに好適な略半割円筒形状（断面略半円形状）となっており、耐候性、耐熱性を有する機械的に強固な絶縁性繊維補強高分子材又は絶縁性繊維補強コンクリートで構成され、例えば、耐候性、耐熱性、耐強度性を有するガラス繊維、ケプラー繊維等を用いたＦＲＰ、ＧＲＣ等である。
【００５４】
そして、空気取入口カバー１０１の内側に反射障害を起こす電波の磁界方向に連続させて複数のフェライトタイル５３が連続配置されている。ここでは、フェライトタイル５３を磁界方向に連続、電界方向に連続又は間隙があいたすのこ形配置とするために、磁界方向に複数個連続したフェライトタイル５３及びこれらの裏側に配置された電波反射体となる金属板９４の上下端部に非導電性組立材１０７を嵌合させ、非導電性組立材１０７を空気取入口カバー１０１の内側に固定することでフェライトタイル５３及び金属板９４を空気取入口カバー１０１の内側に固定している。
【００５５】
この第８の実施の形態によれば、空気取入口カバー１０１の断面形状を工夫したことで、機械的な強度の向上を図ることができる。カバー１０１下端とサッシ下枠１１Ｃ間に開口１０２が設けられる等、その他の構成及び作用効果は前述した第７の実施の形態と同様である。
【００５６】
なお、空気取入口カバーの形状は各実施の形態で図示の形状に限定されるものではなく、雨水の浸入を防止可能で電波反射のない構造であればよい。
【００５７】
以上本発明の実施の形態について説明してきたが、本発明はこれに限定されることなく請求項の記載の範囲内において各種の変形、変更が可能なことは当業者には自明であろう。
【００５８】
【発明の効果】
以上説明したように、本発明の高層建造物における空気取入口の電波反射防止構造によれば、従来の空気取入口のガラリ構造を見直し、空気取入口のカバーの内側に抵抗体を用いた１／４波長型電波吸収体又はフェライトを用いたフェライト電波吸収体を構成して、電波吸収特性を持たせるようにし、空気取入口の構造体に起因する電波反射障害を防止することが可能である。
【図面の簡単な説明】
【図１】本発明に係る高層建造物における空気取入口の電波反射防止構造の第１の実施の形態を示す側断面図である。
【図２】本発明の第２の実施の形態を示す側断面図である。
【図３】第２の実施の形態で用いる平面状抵抗体の具体例を示す正面図である。
【図４】本発明の第３の実施の形態を示す側断面図である。
【図５】第３の実施の形態の要部構成を示す斜視図である。
【図６】本発明の第４の実施の形態を示す側断面図である。
【図７】本発明の第５の実施の形態を示す側断面図である。
【図８】本発明の第６の実施の形態を示す側断面図である。
【図９】本発明の第７の実施の形態を示す側断面図である。
【図１０】本発明の第８の実施の形態を示す側断面図である。
【図１１】本出願人提案の窓枠アルミサッシの電波反射を軽減する構造を示す側断面図である。
【図１２】従来の高層建造物における空気取入口の構造を示す側断面図である。
【図１３】高層建造物の各階に設けられた空気取入口の配置を示す正面図である。
【符号の説明】
１  電波吸収壁
２，５３  フェライトタイル
３  外装材
４  鉄筋
５  コンクリート
６，１２  窓ガラス
７，１１  アルミサッシ
１１Ａ  サッシ上枠
１１Ｂ  サッシ中枠
１１Ｃ  サッシ下枠
２０  空気取入口
２１  防虫金網
２２  金属ガラリ
２３，３２，４２，５２，６２，７２，８２，９２，１０２  開口
２５  水切り
３０  外壁
３１，４１，５１，６１，７１，８１，９１，１０１  空気取入口カバー
３３，４３，７３，８３  発泡高分子材
３４，３４Ａ  平面状抵抗体
３５  空気層
３６  短冊状繊維布
５４  空気通路
７４，９４  金属板
７５，９５  カバー取付金具
１０７  非導電性組立材
【図１】
0004010379.tif 000002
【図２】
0004010379.tif 000003
【図３】
0004010379.tif 000004
【図５】
0004010379.tif 000005
【図４】
0004010379.tif 000006
【図６】
0004010379.tif 000007
【図７】
0004010379.tif 000008
【図８】
0004010379.tif 000009
【図９】
0004010379.tif 000010
【図１０】
0004010379.tif 000011
【図１１】
0004010379.tif 000012
【図１２】
0004010379.tif 000013
【図１３】
0004010379.tif 000014